(57)【要約】【課題】パッドを付け易く、装着時のフィット性が良く、しかもパンツのみとしても使用可能なアウターパンツを提供する。【解決手段】ウエスト部１の胴回り開口１ａと、足を通すための足回り開口２ｂと、股下の幅方向中心の少なくとも一部を含む領域においてパッド６を配置するためのパッド固定部Ａを有するアウターパンツにおいて、前記パッド固定部Ａにおける上下方向伸縮性を、前記胴回り開口１ａ近傍の胴回り部および前記足回り開口２ｂ近傍の足回り部よりも大きくして、パッド６を挿入したときに、パッド６が上下にはみ出しにくくしている。【選択図】        図１
2004357788.tif 000002
【特許請求の範囲】
【請求項１】
ウエスト部の胴回り開口と、足を通すための足回り開口と、股下の幅方向中心の少なくとも一部を含む領域においてパッドを配置するためのパッド固定部を有するアウターパンツにおいて、前記パッド固定部における上下方向伸縮性が、前記胴回り開口近傍の胴回り部および前記足回り開口近傍の足回り部よりも大きいことを特徴とするアウターパンツ。
【請求項２】
前記パッド固定部は、内面にパッドを着脱可能に取り付け得るように構成したものであることを特徴とする前記請求項１記載のアウターパンツ。
【請求項３】
前記パッド固定部の幅方向への変形が、前記足回り部の幅方向への変形よりも小さいことを特徴とする前記請求項１および２のいずれか一項記載のアウターパンツ。
【請求項４】
前記ウエスト部における幅方向応力が各部位の中で最も大きいことを特徴とする前記請求項１、２および３のいずれか一項記載のアウターパンツ。
【請求項５】
前記足回り部の幅方向伸縮性が上下方向伸縮性よりも大きいことを特徴とする前記請求項１、２、３および４のいずれか一項記載のアウターパンツ。
【発明の詳細な説明】
【０００１】
【発明の属する技術分野】
本願発明は、排尿訓練用のアウターパンツに関するものである。
【０００２】
【従来の技術】
従来から、アウターパンツの内部にパッドを装着して小児の排尿訓練用として使用することが行われている。
【０００３】
上記のようなアウターパンツの場合、胴回り全体が伸縮する構成となっていると、装着されたパッドがパンツをはかせるときにパンツが外れてしまうおそれがあるし、ウエスト部のみにゴムを入れて、伸び縮みするように構成した場合、パッドが取り付けられている部分に伸縮性がないため、装着後において、小児の動きや排尿の重みによってパッドとパンツとにズレが生じてしまい、尿漏れを起こすおそれがあった。また、パンツからのパッドの外れやズレを防止するために、パッドとパンツとが外れないような構造とした場合、排尿訓練専用としてしか使用できず、パンツのみの使用ができないという不具合がある。
【０００４】
ところで、この種のアウターパンツと類似するものとしては、パンティストッキング、パンティガードルなどの下着が本来有している伸縮性などに基づく軽快な着用性や機動性、フィット性、体型補正機能等に着目して、その利点を生かして失禁用品としての機能を付与したものがある（特許文献１参照）。この特許文献１に開示されている失禁用品の場合、前記下着のまち部に設けられた機械式係合材料（例えば、ファスナー等）を、吸収性物品（例えば、尿パッド）の外表面に設けられた機械式係合材料（例えば、ファスナー等）とを係合させるようになっている。
【０００５】
【特許文献１】
特開２００１−３２９４０１号公報。
【０００６】
【発明が解決しようとする課題】
ところが、上記公知例のものでは、吸収性物品（例えば、尿パッド等）を下着のまち部に取り付ける手段として機械式係合材料を採用しているため、当該下着に、機械式係合材料を常備せざるを得ないこととなる。従って、公知例の技術をアウターパンツに適用しようとすると、前述したと同様に、パッドの外れやズレは防止できるものの、排尿訓練専用としてしか使用できず、パンツのみの使用ができなくなるという不具合がある。
【０００７】
本願発明は、上記の点に鑑みてなされたもので、パッドを付け易く、装着時のフィット性が良く、しかもパンツのみとしても使用可能なアウターパンツを提供することを目的としている。
【０００８】
【課題を解決するための手段】
本願発明では、上記課題を解決するための第１の手段として、ウエスト部の胴回り開口と、足を通すための足回り開口と、股下の幅方向中心の少なくとも一部を含む領域においてパッドを配置するためのパッド固定部を有するアウターパンツにおいて、前記パッド固定部における上下方向伸縮性が、前記胴回り開口近傍の胴回り部および前記足回り開口近傍の足回り部よりも大きくされている。
【０００９】
上記のように構成したことにより、上下方向の伸縮性が大きいのでパッドを挿入したときに、パッドが上下にはみ出しにくくなる。
【００１０】
本願発明では、さらに、上記課題を解決するための第２の手段として、上記第１の手段を備えたアウターパンツにおいて、前記パッド固定部を、内面にパッドを着脱可能に取り付け得るように構成することもでき、そのように構成した場合、パッドをより強固に固定できるし、パッドのはみ出しが抑えられているので、必要最小限の固着手段によりパッドを固定することができ、外観上すっきりしたものとなる。また、パッドを取り外した状態でのパンツのみとしても使用可能となる。
【００１１】
本願発明では、さらに、上記課題を解決するための第３の手段として、上記第１又は第２の手段を備えたアウターパンツにおいて、前記パッド固定部の幅方向への変形を、前記足回り部の幅方向への変形よりも小さくすることもでき、そのように構成した場合、パッドが取り付けられるパッド固定部が変形しにくいものとなるところから、パンツ装着時におけるパッドの外れ、パンツ装着後におけるパッドのズレを効果的に防止することができる。従って、パッドを付け易く、装着時のフィット性が良いものとなる。
【００１２】
本願発明では、さらに、上記課題を解決するための第４の手段として、上記第１、第２又は第３の手段を備えたアウターパンツにおいて、前記ウエスト部における幅方向応力を各部位の中で最も大きくすることもでき、そのように構成した場合、パンツ装着後の安定性が向上する。
【００１３】
本願発明では、さらに、上記課題を解決するための第５の手段として、上記第１、第２、第３又は第４の手段を備えたアウターパンツにおいて、前記足回り部の幅方向伸縮性を上下方向伸縮性よりも大きくすることもでき、そのように構成した場合、パンツ装着時における足回り部の締め付け性が抑制されることとなり、フィット性がより向上する。
【００１４】
【発明の実施の形態】
以下、添付の図面を参照して、本願発明の好適な実施の形態について説明する。
【００１５】
このアウターパンツは、図１および図２に示すように、胴回り開口１ａを有するウエスト部１、足回り開口２ｂ，２ｂをそれぞれ有する足回り部２，２およびパッド固定部Ａからなっており、該パッド固定部Ａの内面には、パッド（例えば、尿パッド）６を着脱可能に取り付け得るように構成されている。前記パッド固定部Ａは、前後見頃部３，４および股間部５からなっている。
【００１６】
このアウターパンツの生地組成は、綿９０〜９５％、ポリウレタン５〜１０％とするのが特に望ましい。但し、綿の代わりにナイロンも使用可能である。また、使い捨てが可能なように、レーヨン・ポリエチレン・ポリプロピレンを主成分とする不織布を生地として使用することも可能である。
【００１７】
前記ウエスト部１は、ゴム等の伸縮部材（図示省略）を内挿してなる帯状部材により構成されており、幅方向（即ち、Ｘ方向）の伸縮性が上下方向（即ち、Ｚ方向）の伸縮性より大きく（好ましくは、５０％〜２００％大きく）、Ｘ方向の応力が各部位の中で一番大きく設定されている（例えば、５０％伸張時の応力が２０〜２００ｇ／ｃｍとするのが好ましい）。
【００１８】
前記各足回り部２は、Ｘ方向の伸縮性がＺ方向の伸縮性より大きく、Ｘ方向の応力が各部位の中で一番小さく設定されている。
【００１９】
前記パッド固定部Ａは、Ｚ方向の伸縮性がＸ方向の伸縮性より大きく、Ｚ方向の応力が前記ウエスト部１におけるＸ方向応力より小さく且つ前記足回り部２におけるＸ方向応力より大きく設定されている。
【００２０】
上記ウエスト部１の応力は、５０％伸張時において２０〜２００ｇ／ｃｍとするのが好ましく、上記足回り部２の応力は、５０％伸張時において５〜１００ｇ／ｃｍとするのが好ましく、上記パッド固定部Ａの応力は、５０％伸張時において１０〜１５０ｇ／ｃｍとするのが好ましい。
【００２１】
本実施の形態においては、前記パッド固定部Ａを構成する前後見頃部３，４は、図２に示すように、前記足回り部２，２を構成する布地のＸ方向端部を延設してなる延設部２ａ，２ａを互いに重合させて２枚重ねとすることにより形成されている。符号７，７は縫い目である。つまり、延設部２ａ，２ａを重ね合わせることにより、パッド固定部Ａに要求される上記設定条件を満足できるようにしているのである。なお、前記パッド固定部Ａを、Ｚ方向の伸縮性がＸ方向の伸縮性より大きくなるような別な素材で構成することも可能である。この場合、Ｘ方向の伸縮性が各部位の中で一番小さく、Ｚ方向の応力が前記ウエスト部１におけるＸ方向応力より小さく且つ前記足回り部２におけるＸ方向応力より大きくなるような素材で構成するのがより好ましい。
【００２２】
前記パッド６は、高吸水性ポリマーを主成分とする従来公知吸収体により構成されており、そのアウターパンツへの取付面には、粘着剤Ｃが予め塗布されており、該粘着剤Ｃの表面には、使用時において剥離される剥離紙（図示省略）が貼付されている。
【００２３】
次に、上記のように構成されたアウターパンツの使用の態様について説明する。
【００２４】
まず、パッド６における剥離紙を剥離して粘着剤Ｃを露出させた状態で、該パッド６を、アウターパンツにおけるパッド固定部Ａの内面に貼着する。その状態で小児にアウターパンツをはかせる。すると、パッド６が取り付けられるパッド固定部ＡがＸ方向に変形しにくいものとなっているところから、パンツ装着時におけるパッド６の外れ、パンツ装着後におけるパッド６のズレを効果的に防止することができる。従って、パッド６を付け易く、装着時のフィット性が良いものとなる。しかも、パッド６を取り外した状態においては、パッド固定部Ａの内面は布地のままとなるため、パンツのみとしても使用可能となる。つまり、排尿訓練用としても通常のパンツとしても使用可能となるのである。
【００２５】
また、前記前後見頃部３，４のＸ方向への変形を足回り部２よりも小さく設定するようにしているので、装着時におけるパッド６の外れ、装着後におけるパッド６とパンツとのズレをより一層防止することができる。
【００２６】
また、前記ウエスト部１のＸ方向伸縮性をＺ方向伸縮性より大きく設定するようにしているので、パンツの装着性がより向上する。
【００２７】
また、前記ウエスト部１における幅方向応力を各部位の中で最も大きく設定するようにしているので、パンツ装着後の安定性が向上する。
【００２８】
また、前記足回り部２の幅方向伸縮性を上下方向伸縮性より大きく設定するようにしているので、パンツ装着時における足回り部２の締め付け性が抑制されることとなり、フィット性がより向上する。
【００２９】
なお、ウエスト部１とは、胴回り開口１ａの口縁および胴回り開口１ａの口縁から所定の幅をもった領域を言う。この所定幅は１〜７ｃｍ、好ましくは２〜５ｃｍとされる。
【００３０】
また、足回り部２とは、着用時にウエスト部１の下方で且つパッド固定部Ａの幅方向側方に位置し、股下およびその近傍をブリーフタイプに見立てた場合の足回りを起端として足回り開口２ｂまでの領域を意味している。
【００３１】
さらに、パッド固定部Ａとは、パッド６を固定する位置の少なくとも一部を含み、好ましくはパッド６の表面と略同一形状または異なる形状で、同一面積、またはパッド６の表面よりも小さい面積、または大きい面積とすることができる。
【００３２】
上記したこれらの領域は隣接しても良いが、各領域間において領域する２または３領域の中間の伸縮性または伸長応力を有する緩衝領域を介在させても良い。
【００３３】
【発明の効果】
本願発明の第１の手段によれば、ウエスト部の胴回り開口と、足を通すための足回り開口と、股下の幅方向中心の少なくとも一部を含む領域においてパッドを配置するためのパッド固定部を有するアウターパンツにおいて、前記パッド固定部における上下方向伸縮性を、前記胴回り開口近傍の胴回り部および前記足回り開口近傍の足回り部よりも大きくしているので、パッドを挿入したときに、パッドが上下にはみ出しにくくなるという効果がある。
【００３４】
本願発明の第２の手段におけるように、上記第１の手段を備えたアウターパンツにおいて、前記パッド固定部を、内面にパッドを着脱可能に取り付け得るように構成することもでき、そのように構成した場合、パッドをより強固に固定できるし、パッドのはみ出しが抑えられているので、必要最小限の固着手段によりパッドを固定することができ、外観上すっきりしたものとなる。また、パッドを取り外した状態でのパンツのみとしても使用可能となる。
【００３５】
本願発明の第３の手段におけるように、上記第１又は第２の手段を備えたアウターパンツにおいて、前記パッド固定部の幅方向への変形を、前記足回り部の幅方向への変形よりも小さくすることもでき、そのように構成した場合、パッドが取り付けられるパッド固定部が変形しにくいものとなるところから、パンツ装着時におけるパッドの外れ、パンツ装着後におけるパッドのズレを効果的に防止することができる。従って、パッドを付け易く、装着時のフィット性が良いものとなる。
【００３６】
本願発明の第４の手段におけるように、上記第１、第２又は第３の手段を備えたアウターパンツにおいて、前記ウエスト部における幅方向応力を各部位の中で最も大きくすることもでき、そのように構成した場合、パンツ装着後の安定性が向上する。
【００３７】
本願発明の第５の手段におけるように、上記第１、第２、第３又は第４の手段を備えたアウターパンツにおいて、前記足回り部の幅方向伸縮性を上下方向伸縮性よりも大きくすることもでき、そのように構成した場合、パンツ装着時における足回り部の締め付け性が抑制されることとなり、フィット性がより向上する。
【図面の簡単な説明】
【図１】本願発明の実施の形態にかかるアウターパンツの斜視図である。
【図２】図１のＩＩ−ＩＩ拡大断面図である。
【符号の説明】
１はウエスト部、１ａは胴回り開口、２は足回り部、２ａは延設部、２ｂは足回り開口、３は前見頃部、４は後見頃部、５は股間部、６はパッド、Ａはパッド固定部、Ｘは幅方向、Ｚは上下方向。
【図１】
2004357788.tif 000003
【図２】
2004357788.tif 000004